(57)【要約】【課題】複数のアンテナから複数の無線端末へのダウンリンク信号に適用する、適切な送信ウェイトを取得する。【解決手段】算出部は、タイミング補正係数及びチャネル推定値に基づいて、タイミング補正係数が反映された反映送信ウェイトを、第１周波数間隔で算出する。タイミング補正係数は、アップリンク信号の受信タイミングに基づき、アンテナ毎に適用する。送信ウェイト補間部（２５）は、反映送信ウェイトを、第１周波数間隔よりも間隔が狭い第２周波数間隔で補間して、補間送信ウェイトを算出する。送信ウェイト補正部（２７、２７Ｂ）は、補間送信ウェイトをタイミング補正係数に基づいて補正することにより、タイミング補正係数を再度反映させ、かつダウンリンク信号に適用される送信ウェイトを算出する。【選択図】図２
2018152749.tif 000002
【特許請求の範囲】
【請求項１】
複数のアンテナから多重送信されるダウンリンク信号を受信する複数の無線端末からのアップリンク信号の受信タイミングに基づく、前記複数のアンテナ毎に適用するタイミング補正係数、及び前記複数のアンテナの各々と前記複数の無線端末の各々との間のチャネル推定値の各々に基づいて、前記タイミング補正係数が反映された反映送信ウェイトを、第１周波数間隔で算出する算出部と、
前記算出部で算出された前記反映送信ウェイトを、前記第１周波数間隔よりも間隔が狭い第２周波数間隔で補間して、補間送信ウェイトを算出する送信ウェイト補間部と、
前記送信ウェイト補間部で補間した補間送信ウェイトを前記タイミング補正係数に基づいて補正することにより、前記タイミング補正係数を再度反映させ、かつダウンリンク信号に適用される送信ウェイトを算出する送信ウェイト補正部と、
を含む通信装置。
【請求項２】
前記算出部は、
前記チャネル推定値の各々を、前記タイミング補正係数に基づいて補正するチャネル推定値補正部と、
前記チャネル推定値補正部で補正された補正チャネル推定値の各々に基づいて、前記反映送信ウェイトを前記第１周波数間隔で算出する送信ウェイト算出部と、
を含む請求項１に記載の通信装置。
【請求項３】
前記算出部は、
前記チャネル推定値の各々に基づいて、前記タイミング補正係数が反映される前の送信ウェイトを、前記第１周波数間隔で算出する送信ウェイト算出部と、
前記送信ウェイト算出部で算出された送信ウェイトを、前記タイミング補正係数に基づいて補正することにより前記反映送信ウェイトを算出する送信ウェイト補正部と、
を含む請求項１に記載の通信装置。
【請求項４】
前記アンテナ毎のタイミング補正係数は、前記複数のアンテナの各々で受信した前記複数の無線端末のアップリンク信号の受信タイミングの内、最短の受信タイミングである、
請求項１〜請求項３の何れか１項に記載の通信装置。
【請求項５】
前記アンテナ毎のタイミング補正係数は、前記複数のアンテナの各々で受信した前記無線端末のアップリンク信号の受信タイミングと受信電力値に基づいて算出される前記受信タイミングの重心の値である、
請求項１〜請求項３の何れか１項に記載の通信装置。
【請求項６】
前記第１周波数間隔は、ダウンリンク信号に含まれるリソースブロックの周波数間隔であり、
前記第２周波数間隔は、リソースブロックに含まれるサブキャリアの周波数間隔である、
請求項１〜請求項５の何れか１項に記載の通信装置。
【請求項７】
複数のアンテナから多重送信されるダウンリンク信号を受信する複数の無線端末からのアップリンク信号の受信タイミングを検出する受信タイミング検出部と、
前記複数のアンテナから前記複数の無線端末へのダウンリンク信号に関する、前記複数のアンテナの各々と前記複数の無線端末の各々との間のチャネル推定値を取得するチャネル推定部と、
前記受信タイミング検出部で取得した受信タイミングに基づく、前記複数のアンテナ毎に適用するタイミング補正係数、及び前記複数のアンテナの各々と前記複数の無線端末の各々との間のチャネル推定値の各々に基づいて、前記タイミング補正係数が反映された反映送信ウェイトを、第１周波数間隔で算出する算出部と、
前記算出部で算出された前記反映送信ウェイトを、前記第１周波数間隔よりも間隔が狭い第２周波数間隔で補間して、補間送信ウェイトを算出する送信ウェイト補間部と、
前記送信ウェイト補間部で補間した補間送信ウェイトを前記タイミング補正係数に基づいて補正することにより、前記タイミング補正係数を再度反映させ、かつダウンリンク信号に適用される送信ウェイトを算出する送信ウェイト補正部と、
を含む通信システム。
【請求項８】
複数のアンテナから多重送信されるダウンリンク信号を受信する複数の無線端末からのアップリンク信号の受信タイミングに基づく、前記複数のアンテナ毎に適用するタイミング補正係数、及び前記複数のアンテナの各々と前記複数の無線端末の各々との間のチャネル推定値の各々に基づいて、前記タイミング補正係数が反映された反映送信ウェイトを、第１周波数間隔で算出し、
算出された前記反映送信ウェイトを、前記第１周波数間隔よりも間隔が狭い第２周波数間隔で補間して、補間送信ウェイトを算出し、
補間した前記補間送信ウェイトを前記タイミング補正係数に基づいて補正することにより、前記タイミング補正係数を再度反映させ、かつダウンリンク信号に適用される送信ウェイトを算出する、
ことを含む通信方法。
【発明の詳細な説明】
【技術分野】
【０００１】
本発明は、通信装置、通信システム及び通信方法に関する。
【背景技術】
【０００２】
協調送信（Joint Transmission）と、ＭＵ−ＭＩＭＯ（Multi User Multi Input Multi Output）と、を組み合わせたＪＴ−ＭＵ−ＭＩＭＯ（Joint Transmission MU-MIMO）が検討されている。協調送信は異なる場所に配置した送信点（以下、ＴＰ（Transmission Point）という。）で実施され、ＭＵ−ＭＩＭＯは、複数の通信端末（以下、ＵＥ（User Equipment）という。）に向けたダウンリンク信号を空間多重により送信する。ＪＴ−ＭＵ−ＭＩＭＯでは、空間多重されたダウンリンク信号を受信するＵＥ間でのダウンリンク信号の干渉を低減するために、ＴＰで、ＺＦ(Zero Forcing)またはブロック対角化などの直交化技術を使用して取得した送信ウェイトと送信信号との乗算を行う。
【０００３】
ＴＰの各々とＵＥの各々との間の伝播距離が異なるため、ＴＰの各々とＵＥの各々との間の伝播において、伝播遅延差が生じる。例えば、第１ＴＰからＵＥへのダウンリンク信号の送信と同時に、第２ＴＰからＵＥへダウンリンク信号を送信する例では、次のようになる。第１ＴＰとＵＥとの間の距離よりも第２ＴＰとＵＥとの間の距離が長い場合、第２ＴＰから送信されたダウンリンク信号は、第１ＴＰから送信されたダウンリンク信号よりも遅延してＵＥで受信される。
【０００４】
この場合、第１ＴＰから送信されたダウンリンク信号の受信位相を基準とすると、第２ＴＰから送信されたダウンリンク信号の受信位相は周波数領域で回転する。即ち、２つのＴＰから送信されたダウンリンク信号は周波数毎に異なる位相差でＵＥにおいて受信され、周波数によっては２つのＴＰからのダウンリンク信号が互いに干渉するため、周波数によって最適な送信ウェイトが異なる。
【０００５】
周波数によって異なる最適な送信ウェイトを取得するために、例えば、周波数帯域を所定帯域の区間に分割し、区間毎に送信ウェイトを算出する技術が存在するが、区間の数が増大すると処理量も増大する。
【０００６】
区間の数を増大させず、即ち、分割する区間毎の所定帯域を狭くせずに送信ウェイトを算出した後に、周波数間隔を狭くして送信ウェイトを補間する技術も存在する。しかしながら、この技術では、伝播遅延差が大きい場合には、最適送信ウェイトに近似する適切な値で、送信ウェイトを補間することは困難である。
【先行技術文献】
【特許文献】
【０００７】
【特許文献１】特開２０１３−２０１６３３号公報
【特許文献２】特開２０１４−０７５６７９号公報
【非特許文献】
【０００８】
【非特許文献１】瀬山ら、「５Ｇ  超高密度分散アンテナシステムにおける協調無線リソース制御アルゴリズムの検討」、信学技法、日本、２０１６年３月、ＲＣＳ２０１５−３６３、頁１８１〜１８６
【発明の概要】
【発明が解決しようとする課題】
【０００９】
一方、多重されたダウンリンク信号を受信するＵＥをＴＰの各々からの伝播遅延差が小さいＵＥに制限し、ＴＰの各々の送信タイミングを調整し、ＵＥの各々の受信タイミングを近接させることで送信ウェイトの補間を不要とする技術も存在する。しかしながら、この技術では、ＵＥの組み合わせが制限され、多重されたダウンリンク信号を受信可能なＵＥの数が低減する可能性がある。また、伝播遅延差が小さいＵＥは、ＴＰの各々からの伝播損失も近接する可能性が高いため、ダウンリンク信号の直交化が困難となる。
【００１０】
本発明は、１つの側面として、複数のアンテナから複数の無線端末へのダウンリンク信号に適用する、適切な送信ウェイトを取得することを目的とする。
【課題を解決するための手段】
【００１１】
１つの実施形態では、算出部は、タイミング補正係数、及び複数のアンテナの各々と複数の無線端末の各々との間のチャネル推定値の各々に基づいて、タイミング補正係数が反映された反映送信ウェイトを、第１周波数間隔で算出する。タイミング補正係数は、複数のアンテナから多重送信されるダウンリンク信号を受信する複数の無線端末からのアップリンク信号の受信タイミングに基づき、複数のアンテナ毎に適用する。送信ウェイト補間部は、算出部で算出された反映送信ウェイトを、第１周波数間隔よりも間隔が狭い第２周波数間隔で補間して、補間送信ウェイトを算出する。送信ウェイト補正部は、送信ウェイト補間部で補間した補間送信ウェイトをタイミング補正係数に基づいて補正することにより、タイミング補正係数を再度反映させ、かつダウンリンク信号に適用される送信ウェイトを算出する。
【発明の効果】
【００１２】
本発明は、１つの側面として、複数のアンテナから複数の無線端末へのダウンリンク信号に適用する、適切な送信ウェイトを取得することを可能とする。
【図面の簡単な説明】
【００１３】
【図１】第１及び第２実施形態に係る通信システム及び複数のＵＥの一例を示すブロック図である。
【図２】第１実施形態に係る通信システムの要部機能の一例を示すブロック図である。
【図３】第１実施形態に係る通信システムのハードウェアの構成の一例を示すブロック図である。
【図４】第１実施形態に係る通信処理の流れの一例を示すフローチャートである。
【図５】第１実施形態に係る通信システムのハードウェアの構成の一例を示すブロック図である。
【図６】第２実施形態に係る通信システムの要部機能の一例を示すブロック図である。
【図７】第２実施形態に係る通信処理の流れの一例を示すフローチャートである。
【図８】関連技術に係る通信システムの要部機能の一例を示すブロック図である。
【図９】関連技術に係る通信処理の流れの一例を示すフローチャートである。
【図１０】関連技術に係る周波数に対する送信ウェイトの位相の変動の一例を示す線図である。
【図１１】第２実施形態に係る周波数に対する送信ウェイトの位相の変動の一例を示す線図である。
【発明を実施するための形態】
【００１４】
以下、図面を参照して第１実施形態の一例を詳細に説明する。
【００１５】
図１に、本実施形態の通信システム１０及びｍ個の無線端末（以下、ＵＥ（User Equipment）という。）４０−１、４０−２、…、４０−ｍを例示する。ＵＥの何れかを表す場合は、ＵＥ４０−ｉと表す。ｉはＵＥを区別する番号であり、ｉ＝１，…，ｍである。何れのＵＥであるか区別する必要がない場合には、ＵＥ４０ともいう。通信システム１０は、通信装置の一例であるＣＢＢＵ（Centralized Base Band Unit）２０、及びＣＢＢＵ２０に接続されたｎ個の送信部（以下、ＴＰ（Transmission Point）という。）３０−１、３０−２、…、３０−ｎ、及びアンテナ５０−１、５０−２、…、５０−ｎを含む。ＴＰの何れかを表す場合は、ＴＰ３０−ｋと表し、アンテナの何れかを表す場合にはアンテナ５０−ｋと表す。ｋはＴＰ及びアンテナを区別する番号であり、ｋ＝１，…，ｎである。何れのＴＰであるか、また何れのアンテナであるかを区別する必要がない場合には、ＴＰ３０、アンテナ５０ともいう。ＴＰ３０−ｋの各々にはアンテナ５０−ｋの各々が接続されている。なお、ｍ，ｎは２以上の整数であればよい。
【００１６】
図２の破線Ｄの右側に、ＣＢＢＵ２０を例示し、破線Ｄの左側に、ＴＰ３０−ｋ（ｋ＝１，…，ｎ）を例示する。以下、タイミング補正係数取得部等の図面に複数個記載されている部分は、各々同様に動作するので、各部の何れであるかを表す符号ｋを付して説明する。ＣＢＢＵ２０は、スケジューラ部２１、タイミング補正係数取得部２２−ｋ、チャネル推定値補正部２３−ｋ、送信ウェイト算出部２４、送信ウェイト補間部２５、ユーザデータ生成部２６、送信ウェイト補正部２７−ｋ、及び送信ウェイト乗算部２８−ｋを含む。チャネル推定値補正部２３−ｋ及び送信ウェイト算出部２４は、算出部の一例である。
【００１７】
ＴＰ３０−ｋは、アップリンク無線処理部３１−ｋ、ＣＰ（Cyclic Prefix）除去部３２−ｋ、ＦＦＴ（Fast Fourier Transform）部３３−ｋ、受信タイミング検出部３４−ｋ、及びチャネル推定部３５−ｋを含む。ＴＰ３０−ｋは、また、ＩＦＦＴ（Inverse Fast Fourier Transform）部３６−ｋ、ＣＰ付加部３７−ｋ、及びダウンリンク無線処理部３８−ｋを含む。
【００１８】
アップリンク無線処理部３１−ｋは、ＵＥ４０から送信され、アンテナ５０−ｋで受信したアップリンク信号である受信信号に、ダウンコンバート、及びＡ／Ｄ（Analog to Digital）変換を施す。ＣＰ除去部３２−ｋは、受信信号からＣＰを除去する。ＦＦＴ部３３−ｋは、受信信号にＦＦＴ（高速フーリエ変換）を施し、受信信号を周波数領域の信号に変換する。
【００１９】
チャネル推定部３５−ｋは、受信信号に含まれる、例えば、ＳＲＳ（Sounding Reference Signal）等の既知信号を使用して、ｎ個のＴＰ各々について、ｍ個のＵＥ４０毎にリソースブロック（以下、ＲＢ（Resource Block）という。）毎のアップリンクチャネル推定を行う。次に、チャネル推定部３５−ｋは、（１）式に示すように、取得したＵＥ４０−ｉとアンテナ５０−ｋとのアップリンクチャネル推定値をダウンリンクチャネル推定値ｈｉ，ｋ（ｒ）に変換する。ｒはリソースブロックを区別する番号であり、ｒ＝１，…，Ｎ＿ＲＢである。Ｎ＿ＲＢはＲＢの個数を表す。
【数１】
2018152749.tif 000003
【００２０】
（１）式中、上に「〜（チルダ）」を付したｈｉ，ｋ（ｒ）を、以下「チルダｈｉ，ｋ（ｒ）」という。チルダｈｉ，ｋ（ｒ）は、ＵＥ４０−ｉとアンテナ５０−ｋとの間のＲＢ番号ｒにおけるアップリンクチャネル推定値である。Ｃｉ，ｋ（ｒ）はアップリンクチャネル推定値をダウンリンクチャネル推定値に変換する係数である。Ｃｉ，ｋ（ｒ）は、アップリンク信号の送信電力とダウンリンク信号の送信電力との差、及びアップリンクの回路応答とダウンリンクの回路応答との差を調整するように定める。
【００２１】
受信タイミング検出部３４−ｋは、ＳＲＳ等の既知信号を使用して、ＵＥ４０−ｉからアンテナ５０−ｋへのアップリンク信号のアンテナ５０−ｋでの受信タイミングτｉ，ｋを検出する。受信タイミングτｉ，ｋは、ＵＥ４０−ｉとＴＰ３０−ｋとの間の伝播遅延時間に対応する。例えば、ＵＥ４０−ｉとＴＰ３０−ｋとの間の伝播距離が長く、伝播遅延時間が大きい場合には、受信タイミングは遅い。受信タイミングτｉ，ｋは、ｎ個のアンテナ各々について、ｍ個のＵＥ毎に検出される。
【００２２】
スケジューラ部２１は、チャネル推定部３５−ｋで取得したダウンリンクチャネル推定値ｈｉ，ｋ（ｒ）に基づいて、スケジューリング対象であるｍ個のＵＥ４０の中から多重信号を送信するＵＥ４０を選択する。
【００２３】
タイミング補正係数取得部２２−ｋは、受信タイミング検出部３４−ｋで検出した受信タイミングτｉ，ｋと、スケジューラ部２１で選択された多重信号を送信するＵＥ４０の情報と、に基づいて、アンテナ５０−ｋのタイミング補正係数τ＿ｃｋを決定する。タイミング補正係数τ＿ｃｋは、例えば、（２）式に例示するように、送信した多重信号に対する受信タイミングの時間が最も小さい受信タイミングτｉ，ｋ、すなわち、アンテナ５０−ｋで最も受信タイミングが早いＵＥ４０−ｉの受信タイミングτｉ，ｋであってよい。最も受信タイミングが早いＵＥ４０の受信電力ｐ＿ｒｘｉ，ｋは最も強く、位相回転を抑制することが期待されるためである。
【数２】
2018152749.tif 000004
Ｍは、スケジューラ部２１で選択した多重信号を送信するＵＥ４０の集合である。
【００２４】
チャネル推定値補正部２３−ｋは、スケジューラ部２１で選択されたＵＥ４０について、タイミング補正係数取得部２２−ｋで取得したタイミング補正係数τ＿ｃｋを使用して、チャネル推定部３５−ｋで取得したチャネル推定値ｈｉ，ｋ（ｒ）を補正する。即ち、（３）式に例示するように、ダウンリンクのチャネル推定値ｈｉ，ｋ（ｒ）に位相回転を与えるために、タイミング補正係数τ＿ｃｋを適用する。
【数３】
2018152749.tif 000005
ｈ’ｉ，ｋ（ｒ）は、補正されたチャネル推定値であり、Δ＿ＲＢは、ＲＢの周波数間隔である。
【００２５】
送信ウェイト算出部２４は、（4）式に例示するように、各々のチャネル推定値補正部２３で取得したＵＥ４０−ｉ（ｉ＝１，…，｜Ｍ｜）に関する、各々のアンテナ５０のＲＢ毎のチャネル推定値ｈ’ｉ，ｋ（ｒ）を要素とする連結チャネル行列Ｈ’（ｒ）を生成する。
【数４】
2018152749.tif 000006
【００２６】
送信ウェイト算出部２４は、生成した連結チャネル行列Ｈ’（ｒ）を使用して、ＲＢ毎の送信ウェイトＷ’（ｒ）を算出する。ＲＢ毎の送信ウェイトＷ’（ｒ）は、例えば、ゼロフォーシング（Zero-Forcing）を使用して、（５）式で算出することができる。
【数５】
2018152749.tif 000007
上記（５）式の上付き文字のＨはエルミート転置を表し、Ｐ（ｒ）は送信ウェイト電力を規格化する対角行列を表す。
【００２７】
送信ウェイト補間部２５は、（６）式に例示するように、送信ウェイト算出部２４で算出した送信ウェイト、即ち、ＲＢの周波数間隔Δ＿ＲＢ毎の送信ウェイトを、サブキャリア（以下、ＳＣ（Sub Carrier）ともいう。）の周波数間隔毎の送信ウェイトに補間する。
【数６】
2018152749.tif 000008
【００２８】
ＲＢの周波数間隔Δ＿ＲＢは、第１周波数間隔の一例であり、ＳＣの周波数間隔は第２周波数間隔の一例であり、上に「〜」を付したｗｋ，ｉ’（ｓ）、即ち、チルダｗｋ，ｉ’（ｓ）は補間後の送信ウェイトである。Ｎ＿ｓｃｒｂはＲＢ毎のＳＣ数であり、ｓはＳＣの番号、ｗ’ｋ，ｉ（ｒ）は、Ｗ’（ｒ）のｋ行ｉ列の要素である。また、「％」は演算子であり、ｚ１％ｚ２はｚ１をｚ２で除算した剰余を表す。
【００２９】
送信ウェイト補正部２７−ｋは、タイミング補正係数取得部２２−ｋが取得したタイミング補正係数τ＿ｃｋを使用して、（７）式で示すように、送信ウェイト補間部２５で取得した送信ウェイトの第ｋ行を補正する。即ち、（３）式でチャネル推定値に与えられた位相回転を除去する。
【数７】
2018152749.tif 000009
ｗｋ，ｉ（ｓ）は、補正された送信ウェイトであり、Δ＿ｓｃは、ＳＣの周波数間隔である。
【００３０】
ユーザデータ生成部２６は、スケジューラ部２１で選択したＵＥ４０−ｉに送信するシンボルデータを生成する。送信ウェイト乗算部２８−ｋは、送信ウェイト補正部２７−ｋで補正した送信ウェイトｗｋ，ｉ（ｓ）を、ユーザデータ生成部２６で生成したシンボルデータのＳＣ毎に乗算する。
【００３１】
ＩＦＦＴ部３６−ｋは、送信ウェイトｗｋ，ｉ（ｓ）を乗算したシンボルデータにＩＦＦＴ（逆高速フーリエ変換）を施し、時間領域の送信信号に変換する。ＣＰ付加部３７−ｋは、時間領域に変換された送信信号にＣＰを付加する。ダウンリンク無線処理部３８−ｋは、ＣＰを付加した送信信号を無線周波数にアップコンバートし、アップコンバートした送信信号にＤ／Ａ（Digital to Analog）変換を施す。
【００３２】
図３に、本実施形態の通信システム１０のハードウェア構成を例示する。図３では、ＣＢＢＵ２０にＴＰ３０−ｋ（ｋ＝１，…，ｎ）の各々が接続されている例について説明する。
【００３３】
ＣＢＢＵ２０は、プロセッサ４１、メモリ４２、及びＮＩＦ（Network InterFace）４４を含む。ＮＩＦ４４は、例えば、機関ネットワークのゲートウェイ装置など上位装置に接続するインターフェイス部である。
【００３４】
メモリ４２は、通信処理プログラムを含み、プロセッサ４１は、メモリ４２から通信処理プログラムを読み出して実行することで、図２のスケジューラ部２１、タイミング補正係数取得部２２−ｋ、及びチャネル推定値補正部２３−ｋの各々として機能する。プロセッサ４１は、メモリ４２から通信処理プログラムを読み出して実行することで、図２の送信ウェイト算出部２４、送信ウェイト補間部２５、ユーザデータ生成部２６、送信ウェイト補正部２７−ｋ、及び送信ウェイト乗算部２８−ｋの各々として機能する。
【００３５】
ＴＰ３０−ｋは、無線処理部３９−ｋ、プロセッサ５６−ｋ、及びメモリ５７−ｋを含む。無線処理部３９−ｋは、図２に例示したアップリンク無線処理部３１−ｋ、ＣＰ除去部３２−ｋ、ＦＦＴ部３３−ｋ、ＩＦＦＴ部３６−ｋ、ＣＰ付加部３７−ｋ、及びダウンリンク無線処理部３８−ｋを含む。メモリ５７−ｋは、補助通信処理プログラムを含み、プロセッサ５６−ｋは、メモリ５７−ｋから補助通信処理プログラムを読み出して実行することで、図２の受信タイミング検出部３４−ｋ及びチャネル推定部３５−ｋの各々として機能する。
【００３６】
プロセッサ４１及びプロセッサ５６−ｋは、例えば、ＣＰＵ（Central Processing Unit）、ＦＰＧＡ（Field Programmable Gate Array）又はＤＳＰ（Digital Signal Processor）などであってよい。メモリ４２及びメモリ５７−ｋは、例えば、ＲＡＭ（Random Access Memory）及びＲＯＭ（Read Only Memory）などであってよい。
【００３７】
図４に、本実施形態のフローチャートを例示する。図４では、ＣＢＢＵ２０にＴＰ３０−ｋ（ｋ＝１，…，ｎ）が接続され、ＵＥ４０−ｉ（ｉ＝１，…，ｍ）が存在する例を示す。
【００３８】
ＴＰ３０−ｋのプロセッサ５６−ｋは、ステップ１０１−ｋで、ＵＥ４０−ｉからの受信信号に含まれるＳＲＳ等の既知信号を使用して、ＵＥ４０−ｉからアンテナ５０−ｋへのアップリンク信号のアンテナ５０−ｋでの受信タイミングτｉ，ｋを検出する。プロセッサ５６−ｋは、ステップ１０２−ｋで、ＳＲＳ等の既知信号を使用して、アップリンクチャネル推定値を取得し、取得したアップリンクチャネル推定値をダウンリンクチャネル推定値ｈｉ，ｋ（ｒ）に変換する。
【００３９】
ＣＢＢＵ２０のプロセッサ４１は、ステップ１０３で、ダウンリンクチャネル推定値ｈｉ，ｋ（ｒ）に基づいて、スケジューリング対象であるＵＥ４０の中から多重信号を送信するＵＥ４０−ｉ（ｉ＝１，…，｜Ｍ｜）を選択する。プロセッサ４１は、ステップ１０４で、受信タイミングτｉ，ｋと、ステップ１０３で選択された多重信号を送信するＵＥ４０−ｉの情報とに基づいて、アンテナ５０−ｋのタイミング補正係数τ＿ｃｋを決定する。
【００４０】
プロセッサ４１は、ステップ１０５で、ステップ１０４で取得したタイミング補正係数τ＿ｃｋを使用して、ステップ１０２−ｋで取得したチャネル推定値ｈｉ，ｋ（ｒ）を補正する。プロセッサ４１は、ステップ１０６で、ステップ１０５で補正したチャネル推定値に基づいて、送信ウェイトＷ’（ｒ）を算出する。プロセッサ４１は、ステップ１０７で、ＲＢの周波数間隔毎の送信ウェイトを、ＳＣの周波数間隔毎の送信ウェイトに補間する。
【００４１】
プロセッサ４１は、ステップ１０８で、ステップ１０４で取得したタイミング補正係数τ＿ｃｋを使用して、ステップ１０７で補間した送信ウェイトを補正する。プロセッサ４１は、ステップ１０９で、補正した送信ウェイトをＵＥ４０−ｉに送信するシンボルデータのＳＣ毎に乗算する。
【００４２】
なお、タイミング補正係数τ＿ｃｋを最も受信タイミングが早いＵＥ４０の受信タイミングτｉ，ｋとする例について説明したが、本実施形態はこれに限定されない。例えば、下記（８）式に例示するように、選択されたＵＥ４０−ｉ（ｉ＝１，…，｜Ｍ｜）からの受信信号の受信電力ｐ＿ｒｘｉ，ｋ及び受信タイミングτｉ，ｋを使用して受信タイミングτｉ，ｋの重心を算出し、タイミング補正係数τ＿ｃｋとして使用してもよい。ＵＥ４０−ｉからアンテナ５０−ｋへのアップリンク信号のアンテナ５０−ｋでの受信電力ｐ＿ｒｘｉ，ｋは、受信タイミング検出部３４−ｋによって、ＳＲＳ等の既知信号を使用して、検出される。
【数８】
2018152749.tif 000010
但し、ＵＥ４０−ｉがアップリンクにおいて送信電力制御を実施している場合には、ｐ＿ｒｘｉ，ｋに代えて、（９）式に例示するｐｉ，ｋを使用する。
【数９】
2018152749.tif 000011
ｐ＿ｔｘｉは、ＵＥ４０−ｉの送信電力値であり、例えば、ＵＥ４０−ｉが通知するＵＰＨ（Uplink Power Headroom）等を使用して推定する。
【００４３】
また、タイミング補正係数τ＿ｃｋは、（１０）式で例示するように算出されてもよい。（１０）式は、ｐ＿ｒｉ，ｋ・τｉ，ｋに係数ｃｏｅが乗算されている点で（８）式と異なる。係数ｃｏｅは、受信電力ｐ＿ｒｘｉ，ｋに基づいて決定される値であり、例えば、受信電力ｐ＿ｒｘｉ，ｋが所定値を越える場合には１、越えない場合は０に設定されてもよい。また、係数ｃｏｅは、受信電力の増加に応じて、段階的に増加する値であってもよい。
【数１０】
2018152749.tif 000012
【００４４】
なお、図３では、ＣＢＢＵ２０とＴＰ３０−ｋとが別体である例について説明したが、本実施形態はこれに限定されない。例えば、図５に例示するように、通信システム１０は、ＣＢＢＵ２０とＴＰ３０−ｋとが一体の形態であってもよい。図５の通信システム１０は、プロセッサ５８、メモリ５９、ＮＩＦ４４及び無線処理部３９−ｋ（ｋ＝ｉ，…，ｎ）を含む。メモリ５９は、通信処理プログラム及び補助通信処理プログラムを含み、プロセッサ５８は通信処理プログラムを読み込んで実行することで、ＣＢＢＵとして機能し、プロセッサ５８は補助通信処理プログラムを実行することで、ＴＰとして機能する。
【００４５】
プロセッサ５８は、例えば、ＣＰＵ、ＦＰＧＡ又はＤＳＰなどであってよい。メモリ５９は、例えば、ＲＡＭ及びＲＯＭなどであってよい。
【００４６】
なお、図２では、送信ウェイト乗算部２８−ｋ及び送信ウェイト補正部２７−ｋがＣＢＢＵ２０に含まれる例について説明したが、本実施形態はこれに限定されない。送信ウェイト乗算部２８−ｋ及び送信ウェイト補正部２７−ｋは、ＴＰ３０−ｋに含まれていてもよい。
【００４７】
なお、ＴＰ３０−ｋ（または、無線処理部３９−ｋ）の各々が単一のアンテナ５０−ｋを有する例について説明したが、本実施形態はこれに限定されない。２以上のアンテナ５０が単一のＴＰ３０（または、単一の無線処理部３９）に接続されていてもよい。この場合、ＴＰ３０（または、無線処理部３９）の総数はアンテナの総数ｎより少ない。
【００４８】
なお、ＲＢの周波数間隔で算出した送信ウェイトをＳＣの周波数間隔で補間する例について説明したが、本実施形態はこれに限定されない。例えば、所定数のＳＣをまとめたサブバンドの周波数間隔で送信ウェイトを補間するようにしてもよい。なお、ゼロフォーシングを使用して送信ウェイトを算出する例について説明したが、本実施形態はこれに限定されない。例えば、対角化ブロックを使用して送信ウェイトを算出してもよい。
【００４９】
本実施形態のタイミング補正係数取得部は、複数のアンテナから多重送信されるダウンリンク信号を受信する複数の無線端末からのアップリンク信号の受信タイミングに基づいて、複数のアンテナ毎に適用するタイミング補正係数を取得する。算出部は、タイミング補正係数取得部で取得されたタイミング補正係数、及び複数のアンテナの各々と複数の無線端末の各々との間のチャネル推定値の各々に基づいて、タイミング補正係数が反映された反映送信ウェイトを、第１周波数間隔で算出する。送信ウェイト補間部は、算出部で算出された反映送信ウェイトを、第１周波数間隔よりも間隔が狭い第２周波数間隔で補間して、補間送信ウェイトを算出する。送信ウェイト補正部は、送信ウェイト補間部で補間した補間送信ウェイトをタイミング補正係数に基づいて補正することにより、タイミング補正係数を再度反映させ、かつダウンリンク信号に適用される送信ウェイトを算出する。
【００５０】
算出部は、チャネル推定値の各々を、タイミング補正係数に基づいて補正するチャネル推定値補正部と、チャネル推定値補正部で補正された補正チャネル推定値の各々に基づいて、反映送信ウェイトを第１周波数間隔で算出する送信ウェイト算出部と、を含む。
【００５１】
本実施形態では、複数のアンテナの各々と複数の無線端末の各々との間のチャネル推定値を、アンテナ毎のタイミング補正係数を使用して、複数の無線端末をセットにして補正する。位相回転を抑制するタイミング補正係数を使用して、チャネル推定値に位相回転を与え、周波数に対する、タイミングのずれによる位相の変動が抑制された状態で、チャネル推定値に基づいて送信ウェイトを算出する。送信ウェイトを補間した後、タイミング補正係数を使用して送信ウェイトを補正することで、与えた位相回転を除去している。これにより、本実施形態では、複数のアンテナから複数の無線端末へのダウンリンク信号に適用する適切な送信ウェイトを取得することが可能となる。
【００５２】
［第２実施形態］
次に、第２実施形態の一例を説明する。第１実施形態と同様の構成及び作用については、説明を省略する。第２実施形態では、チャネル推定値の補正を行わず、送信ウェイトを補間する前に、送信ウェイトの補正を行う点で、第１実施形態と異なる。
【００５３】
図６に、第２実施形態の通信システム１０のブロック図の一例を示す。図６では、ＣＢＢＵ２０にＴＰ３０−ｋ（ｋ＝１，…，ｎ）の各々が接続されている。第２実施形態では、第１実施形態で説明した図２のチャネル推定補正部２３−ｋが存在せず、送信ウェイト算出部２４’と送信ウェイト補間部２５’との間に第１送信ウェイト補正部２７Ａ−ｋが存在する点で、図２の通信システム１０と異なる。
【００５４】
送信ウェイト算出部２４’は、（１１）式に例示するように、チャネル推定部３５−ｋで取得したＵＥ４０−ｉ（ｉ＝１，…，｜Ｍ｜）、アンテナ５０−ｋ（ｋ＝１，…，ｎ）のチャネル推定値ｈｉ，ｋ（ｒ）を連結し、連結チャネル行列Ｈ（ｒ）を生成する。
【数１１】
2018152749.tif 000013
【００５５】
また、送信ウェイト算出部２４’は、連結チャネル行列Ｈ（ｒ）を使用して送信ウェイトＷ（ｒ）を算出する。例えば、送信ウェイトＷ（ｒ）は、ゼロフォーシングを使用して、（１２）式で例示するように、算出することができる。
【数１２】
2018152749.tif 000014
【００５６】
第１送信ウェイト補正部２７Ａ−ｋは、送信ウェイト算出部２４’で算出した送信ウェイトＷ（ｒ）を、（１３）式で示すように、タイミング補正係数取得部２２−ｋで取得したタイミング補正係数τ＿ｃｋを用いて補正する。送信ウェイト算出部２４’及び第１送信ウェイト補正部２７Ａ−ｋは、算出部の一例である。
【数１３】
2018152749.tif 000015
ｗｋ，ｉ’（ｒ）は補正した送信ウェイトであり、ｗｋ，ｉ（ｒ）は、（１２）式のＷ（ｒ）のｋ行ｉ列目の要素、即ち、アンテナ５０−ｋ、ＵＥ４０−ｉの送信ウェイトを表す。
【００５７】
送信ウェイト補間部２５’は、（１４）式に例示するように、第１送信ウェイト補正部２７Ａ−ｋで補正した送信ウェイトｗ’ｋ，ｉ（ｒ）、即ち、ＲＢの周波数間隔毎の送信ウェイトを、ＳＣの周波数間隔毎の送信ウェイトに補間する。
【数１４】
2018152749.tif 000016
【００５８】
第２送信ウェイト補正部２７Ｂ−ｋは、タイミング補正係数取得部２２−ｋで取得したタイミング補正係数τ＿ｃｋを使用して、（１５）式で示すように、送信ウェイト補間部２５’で補間された送信ウェイトを補正する。即ち、（１３）式で送信ウェイトに与えられた位相回転を除去する。
【数１５】
2018152749.tif 000017
(15)
【００５９】
図７に、本実施形態のフローチャートを例示する。図７では、ＣＢＢＵ２０にＴＰ３０−ｋ（ｋ＝１，…，ｎ）が接続され、ＵＥ４０−ｉ（ｉ＝１，…，ｍ）が存在する。
【００６０】
ＣＢＢＵ２０のプロセッサ４１は、ステップ１０４で、受信タイミングτｉ，ｋと、ステップ１０３で選択された多重信号を送信するＵＥ４０−ｉの情報に基づいて、アンテナ５０−ｋのタイミング補正係数τ＿ｃｋを決定する。プロセッサ４１は、ステップ１０６で、補正しないチャネル推定値ｈｉ，ｋ（ｒ）に基づいて送信ウェイトＷ（ｒ）を算出する。プロセッサ４１は、ステップ１０８Ａで、ステップ１０４で取得したタイミング補正係数τ＿ｃｋを使用して、ステップ１０６で算出した送信ウェイトＷ（ｒ）を補正する。
【００６１】
プロセッサ４１は、ステップ１０７で、ＲＢの周波数間隔毎の送信ウェイトを、ＳＣの周波数間隔毎の送信ウェイトに補間する。プロセッサ４１は、ステップ１０８Ｂで、ステップ１０４で取得したタイミング補正係数τ＿ｃｋを使用して、ステップ１０７で補間した送信ウェイトを補正する。
【００６２】
なお、第２送信ウェイト補正部２７Ｂ−ｋ及び送信ウェイト乗算部２８−ｋがＣＢＢＵ２０に含まれる例について説明したが、本実施形態ではこれに限定されない。例えば、第２送信ウェイト補正部２７Ｂ−ｋ及び送信ウェイト乗算部２８−ｋがＴＰ３０−ｋに含まれていてもよい。
【００６３】
本実施形態のタイミング補正係数取得部は、複数のアンテナから多重送信されるダウンリンク信号を受信する複数の無線端末からのアップリンク信号の受信タイミングに基づいて、複数のアンテナ毎に適用するタイミング補正係数を取得する。算出部は、タイミング補正係数取得部で取得されたタイミング補正係数、及び複数のアンテナの各々と複数の無線端末の各々との間のチャネル推定値の各々に基づいて、タイミング補正係数が反映された反映送信ウェイトを、第１周波数間隔で算出する。送信ウェイト補間部は、算出部で算出された反映送信ウェイトを、第１周波数間隔よりも間隔が狭い第２周波数間隔で補間して、補間送信ウェイトを算出する。送信ウェイト補正部は、送信ウェイト補間部で補間した補間送信ウェイトをタイミング補正係数に基づいて補正することにより、タイミング補正係数を再度反映させ、かつダウンリンク信号に適用される送信ウェイトを算出する。
【００６４】
算出部は、送信ウェイト算出部と、送信ウェイト補正部と、を含む。送信ウェイト算出部は、チャネル推定値の各々に基づいて、タイミング補正係数が反映される前の送信ウェイトを、第１周波数間隔で算出する。送信ウェイト補正部は、送信ウェイト算出部で算出された送信ウェイトを、タイミング補正係数に基づいて補正することにより反映送信ウェイトを算出する。
【００６５】
本実施形態では、ダウンリンク信号に乗算する送信ウェイトを、アンテナ毎のタイミング補正係数を使用して、複数の無線端末をセットにして補正する。位相回転を抑制するタイミング補正係数を使用して、位相回転を与えた、即ち、タイミングずれによる、周波数に対する位相の変動が抑制された状態で送信ウェイトを補間する。タイミング補正係数を使用して、送信ウェイトを補正することで、与えた位相回転を送信ウェイトから除去する。これにより、本実施形態では、複数のアンテナから複数の無線端末へのダウンリンク信号に適用する、適切な送信ウェイトを取得することが可能となる。
【００６６】
［関連技術］
次に関連技術の一例を説明する。
【００６７】
図８に、関連技術の通信システム１１０を例示する。図８の破線Ｄの右側に、ＣＢＢＵ１２０を例示し、破線Ｄの左側に、ＣＢＢＵ１２０に接続されているＴＰ１３０−ｋ（ｋ＝１，…，ｎ）を例示する。
【００６８】
通信システム１１０は、タイミング補正係数取得部２２−ｋ、チャネル推定値補正部２３−ｋ、送信ウェイト補正部２７−ｋ、及び受信タイミング検出部３４−ｋに対応する構成要素を含まない点で、第１実施形態の通信システム１０と異なる。また、通信システム１１０は、タイミング補正係数取得部２２−ｋ、第１送信ウェイト補正部２７Ａ−ｋ、第２送信ウェイト補正部２７Ｂ−ｋ、及び受信タイミング検出部３４−ｋを含まない点で第２実施形態の通信システム１０と異なる。
【００６９】
ＣＢＢＵ１２０は、スケジューラ部１２１、送信ウェイト算出部１２４、送信ウェイト補間部１２５、ユーザデータ生成部１２６、及び送信ウェイト乗算部１２８−ｋを含む。ＴＰ１３０−ｋは、アップリンク無線処理部１３１−ｋ、ＣＰ除去部１３２−ｋ、ＦＦＴ部１３３−ｋ、チャネル推定部１３５−ｋ、ＩＦＦＴ部１３６−ｋ、ＣＰ付加部１３７−ｋ、及びダウンリンク無線処理部１３８−ｋを含む。
【００７０】
アップリンク無線処理部１３１−ｋ、ＣＰ除去部１３２−ｋ、及びＦＦＴ部１３３−ｋは、図２のアップリンク無線処理部３１−ｋ、ＣＰ除去部３２−ｋ、及びＦＦＴ部３３−ｋと同様であるため、説明を省略する。ＩＦＦＴ部１３６−ｋ、ＣＰ付加部１３７−ｋ、及びダウンリンク無線処理部１３８−ｋは、図２のＩＦＦＴ部３６−ｋ、ＣＰ付加部３７−ｋ、及びダウンリンク無線処理部３８−ｋと同様であるため、説明を省略する。チャネル推定部１３５−ｋは、図２のチャネル推定部３５−ｋと同様であるため、説明を省略する。
【００７１】
図９に、関連技術の通信処理の流れの一例を示す。関連技術の通信処理の流れは、ステップ１０１−ｋ、ステップ１０４〜１０５、ステップ１０８に対応するステップが存在しない点で第１実施形態の通信処理の流れと異なる。関連技術の通信処理の流れは、ステップ１０１−ｋ、ステップ１０４、ステップ１０８Ａ、ステップ１０８Ｂに対応するステップが存在しない点で第２実施形態の通信処理の流れと異なる。
【００７２】
関連技術では、ＴＰ１３０−ｋのプロセッサが、ステップ２０２−ｋで、チャネル推定値を取得する。ＣＢＢＵ１２０のプロセッサが、ステップ２０３で、チャネル推定値に基づいて、多重送信で信号を送信するＵＥ１４０−ｉ（ｉ＝１，…，｜Ｍ｜）を選択する。
【００７３】
ＣＢＢＵ１２０のプロセッサが、ステップ２０６で、ステップ２０２で取得したチャネル推定値に基づいて送信ウェイトを算出し、ステップ２０７で、ＲＢの周波数間隔毎の送信ウェイトを、ＳＣの周波数間隔毎の送信ウェイトに補間する。ＣＢＢＵ１２０のプロセッサが、ステップ２０９で、補間した送信ウェイトをＵＥ４０−ｉに送信するシンボルデータのＳＣ毎に乗算する。
【００７４】
図１０は、関連技術で取得される送信ウェイトの位相と周波数との関係を示す。縦軸は送信ウェイトの位相［ｒａｄ］を表し、横軸は周波数［Ｈｚ］を表す。実線９１は、最適送信ウェイトの位相を例示する。点９２は、ステップ２０６で算出された送信ウェイトの位相を表し、破線９３は、ステップ２０７で補間された送信ウェイトの位相を表す。点９２は、最適送信ウェイトの位相を表す実線９１上に概ね存在するが、破線９３は、実線９１からは大きくはずれている。
【００７５】
図１１に、第２実施形態で取得される送信ウェイトの位相と周波数との関係を示す。縦軸は送信ウェイトの位相［ｒａｄ］を表し、横軸は周波数［Ｈｚ］を表す。実線９４は、最適送信ウェイトの位相を例示する。点９５は、ステップ１０８Ａで補正した送信ウェイトの位相、破線９６は、ステップ１０７で補間した送信ウェイトの位相、破線９７はステップ１０８Ｂで補正した送信ウェイトの位相を表す。
【００７６】
本実施形態では、第１周波数間隔毎の送信ウェイトに位相回転を与えることで、タイミングずれによる、周波数に対する位相の変動を抑制する。その後、第１周波数間隔よりも狭い第２周波数間隔で送信ウェイトを補間し、補間した送信ウェイトから与えた位相回転を除去している。これにより、本実施形態では、最適送信ウェイトに近似する送信ウェイトを取得することができる。
【００７７】
以上の各実施形態に関し、更に以下の付記を開示する。
【００７８】
（付記１）
複数のアンテナから多重送信されるダウンリンク信号を受信する複数の無線端末からのアップリンク信号の受信タイミングに基づく、前記複数のアンテナ毎に適用するタイミング補正係数、及び前記複数のアンテナの各々と前記複数の無線端末の各々との間のチャネル推定値の各々に基づいて、前記タイミング補正係数が反映された反映送信ウェイトを、第１周波数間隔で算出する算出部と、
前記算出部で算出された前記反映送信ウェイトを、前記第１周波数間隔よりも間隔が狭い第２周波数間隔で補間して、補間送信ウェイトを算出する送信ウェイト補間部と、
前記送信ウェイト補間部で補間した補間送信ウェイトを前記タイミング補正係数に基づいて補正することにより、前記タイミング補正係数を再度反映させ、かつダウンリンク信号に適用される送信ウェイトを算出する送信ウェイト補正部と、
を含む通信装置。
（付記２）
前記算出部は、
前記チャネル推定値の各々を、前記タイミング補正係数に基づいて補正するチャネル推定値補正部と、
前記チャネル推定値補正部で補正された補正チャネル推定値の各々に基づいて、前記反映送信ウェイトを前記第１周波数間隔で算出する送信ウェイト算出部と、
を含む付記１の通信装置。
（付記３）
前記算出部は、
前記チャネル推定値の各々に基づいて、前記タイミング補正係数が反映される前の送信ウェイトを、前記第１周波数間隔で算出する送信ウェイト算出部と、
前記送信ウェイト算出部で算出された送信ウェイトを、前記タイミング補正係数に基づいて補正することにより前記反映送信ウェイトを算出する送信ウェイト補正部と、
を含む付記１の通信装置。
（付記４）
前記アンテナ毎のタイミング補正係数は、前記複数のアンテナの各々で受信した前記複数の無線端末のアップリンク信号の受信タイミングの内、最短の受信タイミングである、
付記１〜付記３の何れかの通信装置。
（付記５）
前記アンテナ毎のタイミング補正係数は、前記複数のアンテナの各々で受信した前記無線端末のアップリンク信号の受信タイミングと受信電力値に基づいて算出される前記受信タイミングの重心の値である、
付記１〜付記３の何れかの通信装置。
（付記６）
前記第１周波数間隔は、ダウンリンク信号に含まれるリソースブロックの周波数間隔であり、
前記第２周波数間隔は、リソースブロックに含まれるサブキャリアの周波数間隔である、
付記１〜付記５の何れかの通信装置。
（付記７）
複数のアンテナから多重送信されるダウンリンク信号を受信する複数の無線端末からのアップリンク信号の受信タイミングを検出する受信タイミング検出部と、
前記複数のアンテナから前記複数の無線端末へのダウンリンク信号に関する、前記複数のアンテナの各々と前記複数の無線端末の各々との間のチャネル推定値を取得するチャネル推定部と、
前記受信タイミング検出部で取得した受信タイミングに基づく、前記複数のアンテナ毎に適用するタイミング補正係数、及び前記複数のアンテナの各々と前記複数の無線端末の各々との間のチャネル推定値の各々に基づいて、前記タイミング補正係数が反映された反映送信ウェイトを、第１周波数間隔で算出する算出部と、
前記算出部で算出された前記反映送信ウェイトを、前記第１周波数間隔よりも間隔が狭い第２周波数間隔で補間して、補間送信ウェイトを算出する送信ウェイト補間部と、
前記送信ウェイト補間部で補間した補間送信ウェイトを前記タイミング補正係数に基づいて補正することにより、前記タイミング補正係数を再度反映させ、かつダウンリンク信号に適用される送信ウェイトを算出する送信ウェイト補正部と、
を含む通信システム。
（付記８）
前記算出部は、
前記チャネル推定値の各々を、前記タイミング補正係数に基づいて補正するチャネル推定値補正部と、
前記チャネル推定値補正部で補正された補正チャネル推定値の各々に基づいて、前記反映送信ウェイトを前記第１周波数間隔で算出する送信ウェイト算出部と、
を含む付記７の通信システム。
（付記９）
前記算出部は、
前記チャネル推定値の各々に基づいて、前記タイミング補正係数が反映される前の送信ウェイトを、前記第１周波数間隔で算出する送信ウェイト算出部と、
前記送信ウェイト算出部で算出された送信ウェイトを、前記タイミング補正係数に基づいて補正することにより前記反映送信ウェイトを算出する送信ウェイト補正部と、
を含む付記７の通信システム。
（付記１０）
前記アンテナ毎のタイミング補正係数は、前記複数のアンテナの各々で受信した前記複数の無線端末のアップリンク信号の受信タイミングの内、最短の受信タイミングである、
付記７〜付記９の何れかの通信システム。
（付記１１）
前記アンテナ毎のタイミング補正係数は、前記複数のアンテナの各々で受信した前記無線端末のアップリンク信号の受信タイミングと受信電力値に基づいて算出される前記受信タイミングの重心の値である、
付記７〜付記９の何れかの通信システム。
（付記１２）
前記第１周波数間隔は、ダウンリンク信号に含まれるリソースブロックの周波数間隔であり、
前記第２周波数間隔は、リソースブロックに含まれるサブキャリアの周波数間隔である、
付記７〜付記１１の何れかの通信システム。
（付記１３）
複数のアンテナから多重送信されるダウンリンク信号を受信する複数の無線端末からのアップリンク信号の受信タイミングに基づく、前記複数のアンテナ毎に適用するタイミング補正係数、及び前記複数のアンテナの各々と前記複数の無線端末の各々との間のチャネル推定値の各々に基づいて、前記タイミング補正係数が反映された反映送信ウェイトを、第１周波数間隔で算出し、
算出された前記反映送信ウェイトを、前記第１周波数間隔よりも間隔が狭い第２周波数間隔で補間して、補間送信ウェイトを算出し、
補間した前記補間送信ウェイトを前記タイミング補正係数に基づいて補正することにより、前記タイミング補正係数を再度反映させ、かつダウンリンク信号に適用される送信ウェイトを算出する、
ことを含む通信方法。
（付記１４）
前記反映送信ウェイトの算出は、
前記チャネル推定値の各々を、前記タイミング補正係数に基づいて補正し、
補正された補正チャネル推定値の各々に基づいて、前記反映送信ウェイトを前記第１周波数間隔で算出する、
ことを含む付記１３の通信方法。
（付記１５）
前記反映送信ウェイトの算出は、
前記チャネル推定値各々に基づいて、前記タイミング補正係数が反映される前の送信ウェイトを、前記第１周波数間隔で算出し、
算出された送信ウェイトを、前記タイミング補正係数に基づいて補正することにより前記反映送信ウェイトを算出する、
ことを含む付記１３の通信方法。
（付記１６）
前記アンテナ毎のタイミング補正係数は、前記複数のアンテナの各々で受信した前記複数の無線端末のアップリンク信号の受信タイミングの内、最短の受信タイミングである、
付記１３〜付記１５の何れかの通信方法。
（付記１７）
前記アンテナ毎のタイミング補正係数は、前記複数のアンテナの各々で受信した前記無線端末のアップリンク信号の受信タイミングと受信電力値に基づいて算出される前記受信タイミングの重心の値である、
付記１３〜付記１５の何れかの通信方法。
（付記１８）
前記第１周波数間隔は、ダウンリンク信号に含まれるリソースブロックの周波数間隔であり、
前記第２周波数間隔は、リソースブロックに含まれるサブキャリアの周波数間隔である、
付記１３〜付記１７の何れかの通信方法。
【符号の説明】
【００７９】
１０  通信システム
２０  ＣＢＢＵ
２２  タイミング補正係数取得部
２３  チャネル推定値補正部
２４  送信ウェイト算出部
２４’  送信ウェイト算出部
２５  送信ウェイト補間部
２７  送信ウェイト補正部
２７Ａ  送信ウェイト補正部
２７Ｂ  送信ウェイト補正部
３０  ＴＰ
４０  ＵＥ
４１  プロセッサ
４２  メモリ
５０  アンテナ
５６  プロセッサ
５７  メモリ
５８  プロセッサ
５９  メモリ
【図１】
2018152749.tif 000018
【図２】
2018152749.tif 000019
【図３】
2018152749.tif 000020
【図４】
2018152749.tif 000021
【図５】
2018152749.tif 000022
【図６】
2018152749.tif 000023
【図７】
2018152749.tif 000024
【図８】
2018152749.tif 000025
【図９】
2018152749.tif 000026
【図１０】
2018152749.tif 000027
【図１１】
2018152749.tif 000028